(57)【要約】      （修正有）【課題】文字をモチーフとした今までにない斬新なデザイン的要素を組み込んだ装飾品を提供する。【解決手段】所定の対象物品Ｂにおける所定領域に、一乃至複数の文字１０が描かれると共に、該文字１０における少なくとも一以上の端部１０ａに一乃至複数の点１２が付されて構成されるデザイン化された飾り文字１によって装飾された装飾品である。また、所定領域における文字１０及び点１２以外の空き領域に、動植物や風景その他の模様１６が付加されてデザイン化された飾り文字１とする。【選択図】図１
0003206717.tif 000002
【実用新案登録請求の範囲】
【請求項１】
デザイン化された飾り文字によって装飾された装飾品であって、
所定の対象物品における所定領域に、一乃至複数の文字が描かれると共に、該文字における少なくとも一以上の端部に一乃至複数の点が付されて構成されるデザイン化された飾り文字によって装飾された装飾品。
【請求項２】
前記デザイン化された飾り文字が、前記所定領域における文字及び点以外の空き領域に動植物や風景その他の模様が付加されて構成されていることを特徴とする請求項１に記載の装飾品。
【請求項３】
前記デザイン化された飾り文字に、彩色が施されていることを特徴とする請求項１または請求項２に記載の装飾品。
【請求項４】
前記対象物品は、和紙や色紙等の紙類、陶磁製・ガラス製・金属製の食器類、ガラス板、金属板、布生地、石、木材、樹脂フィルムのうち選択されるいずれかであることを特徴とする請求項１から請求項３のいずれかに記載の装飾品。
【考案の詳細な説明】
【技術分野】
【０００１】
本考案は、装飾品に関し、詳しくは、デザイン化された飾り文字によって装飾された装飾品に関するものである。
【背景技術】
【０００２】
従来より、人は、室内空間を装飾することで雰囲気に変化を生じさせて、その装飾品によって癒しを求めたり、また、装飾品の芸術性を楽しんだりしてきた。かかる室内を装飾するものとして、額入りの絵画や掛け軸をはじめ、陶芸品、生け花、彫刻品など、多くのものが存する。骨董品といわれる希少価値のある絵画や陶磁器などの古美術や古道具によって、室内を装飾することも一つの手法として楽しまれている。
【０００３】
確かに、骨董品は、古き時代に思いを馳せ、古来のデザイン性や芸術性を楽しむ点で、室内装飾の一手法である。しかしながら、それとは別に、日々変化する日常の中で、このような室内装飾品に関する趣向性も人それぞれ変化しており、従来とは異なった現代アートによる装飾品、より斬新な芸術的デザインによる装飾品に着目し、そのような斬新な装飾品を求める人たちも多く存する。
【０００４】
本出願人は、以上のような装飾品に対する新たな要求に着目し、今までにない斬新なデザイン的要素を組み込んだ装飾品を創出できないものかとの着想の下、文字をモチーフとして点と模様とを適宜組み合わせて新たなデザインを創作し、本考案にかかる「装飾品」の提案に至るものである。
【先行技術文献】
【特許文献】
【０００５】
【特許文献１】実公昭４１−６２９号公報
【考案の概要】
【考案が解決しようとする課題】
【０００６】
本考案は、文字をモチーフとした今までにない斬新なデザイン的要素を組み込んだ装飾品を提供することを課題とする。
【課題を解決するための手段】
【０００７】
上記課題を解決するため、本考案は、所定の対象物品における所定領域に、一乃至複数の文字が描かれると共に、該文字における少なくとも一以上の端部に一乃至複数の点が付されて構成されるデザイン化された飾り文字によって装飾された装飾品である。
【０００８】
また、本考案は、前記デザイン化された飾り文字が、前記所定領域における文字及び点以外の空き領域に動植物や風景その他の模様が付加されて構成されている。
【０００９】
さらに、本考案は、前記デザイン化された飾り文字に、彩色が施された構成を採用する。
【００１０】
またさらに、本考案は、前記対象物品が、和紙や色紙等の紙類、陶磁製・ガラス製・金属製の食器類、ガラス板、金属板、布生地、石、木材、樹脂フィルムのうち選択されるいずれかを採用する。
【考案の効果】
【００１１】
本考案に係る装飾品によれば、文字と該文字における少なくとも一以上の端部に一乃至複数の点が付されて構成されるデザイン化された飾り文字によって装飾されていることで、従来にない斬新な芸術的デザイン性を備えた装飾品を提供することができる。
【００１２】
また、本考案に係る装飾品によれば、前記デザイン化された飾り文字に、更に動植物や風景その他の模様を付加したり、彩色を施したりすることで、より斬新で芸術的デザイン性を付与することが可能となる。
【図面の簡単な説明】
【００１３】
【図１】本考案に係る装飾品に描かれるデザイン化された飾り文字の実施形態を示す説明図である。
【図２】本考案に係る装飾品に描かれるデザイン化された飾り文字の実施形態を示す説明図である。
【図３】本考案に係る装飾品に描かれるデザイン化された飾り文字の実施形態を示す説明図である。
【考案を実施するための形態】
【００１４】
本考案に係る装飾品は、所定の対象物品Ｂにおける所定領域に、一乃至複数の文字１０が描かれると共に、該文字１０における少なくとも一以上の端部１０ａに一乃至複数の点１２が付されて構成されるデザイン化された飾り文字１によって装飾されて成ることを最大の特徴とする。
以下、本考案に係る装飾品の実施形態を、図面に基づいて説明する。
【００１５】
なお、本考案に係る装飾品は、以下に述べる実施形態に限定されるものではなく、本考案の技術的思想の範囲内、即ち、同一の作用効果を発揮できる形状や寸法、材料等の範囲内で適宜変更することができるものである。
【００１６】
図１乃至図３に従って、本考案を説明する。図１乃至図３は、本本考案に係る装飾品に描かれるデザイン化された飾り文字１の実施形態を示す説明図であり、図１は「春」の文字１０をモチーフとしたデザイン化された飾り文字１を示し、図２は「歩」の文字１０をモチーフとしたデザイン化された飾り文字１を示し、図３は「希遇」の文字１０をモチーフとしたデザイン化された飾り文字１を示している。
【００１７】
本考案に係る装飾品は、デザイン化された飾り文字１によって装飾されたものである。該デザイン化された飾り文字１は、文字１０における端部１０ａに点１２が付されて構成されている。
【００１８】
本考案における装飾品とは、絵画や陶芸品、彫刻品など室内外を装飾するための物品であって、その形状や種類に特に限定はなく、例えば額入り絵画や掛け軸、盾、レリーフ、壁掛けプレート、陶磁器、飾り食器、花瓶、オブジェなど、室内外を装飾し得る物全般をいい、更には、これらから派生する物品、例えば絵葉書や衣類、看板なども含むものである。
【００１９】
デザイン化された飾り文字１が描かれる対象物品Ｂは、上記装飾品の種類によって決定されるものであって、特に限定するものではないが、例えば、和紙や色紙等の紙類、陶磁製・ガラス製・金属製の食器類、ガラス板、金属板、布生地、石、木材、樹脂フィルムのうち選択されるいずれかが考え得る。
【００２０】
デザイン化された飾り文字１は、上記対象物品Ｂにおける所定領域に描かれる。描く際の塗料（インク）については、選択された対象物品Ｂによって最適なものを選択すれば足り、例えば対象物品Ｂが和紙であれば塗料（インク）は墨汁を使用したり、金属板であれば油性マジックを使用したりするなどが考え得る。
【００２１】
対象物品Ｂの所定領域に描かれる文字１０の数については、特に限定はなく、一文字から複数文字が描かれている。尚、図１及び図２は一文字の場合について例示しており、図３は二文字の場合について例示している。
【００２２】
描かれる文字１０については、特に限定はなく、漢字や平仮名、片仮名、英文字その他あらゆる文字１０が描く対象となる。図１乃至図３は、描く文字１０として漢字を採用した場合を示しており、図１は「春」、図２は「歩」、図３は「希遇」の文字１０を用いた場合を例示している。
【００２３】
文字１０の少なくとも一以上の端部１０ａには、図面に示すように、点１２が付される。図１では、文字１０の全ての端部１０ａに点１２が付された場合について例示しているが、図２及び図３では、文字１０の一部の端部１０ａには点１２を付さない場合について例示している。また、付される点１２の数については、特に限定はなく、一の端部１０ａに一乃至複数の点１２が付されている。
【００２４】
ところで、各図面に示すように、対象物品Ｂの所定領域における文字１０及び点１２以外の空き領域に、模様１６を付加してデザイン化された飾り文字１とする態様が考え得る。かかる模様の具体的形態については特に限定はなく、例えば文字やサイン、動物や植物、文字に関連した絵柄、空想上の生物、風景、幾何学的模様、縁取りその他種々の模様１６が考え得る。
【００２５】
また、図示されてはいないが、デザイン化された飾り文字１に、彩色が施された態様も可能である。このとき、彩色のための塗料（インク）については、選択された対象物品Ｂによって最適なものが選択される。
【００２６】
以上の構成から成る本考案に係る装飾品に描かれるデザイン化された飾り文字１について、次に、その具体的描画手法について図面に基づき順を追って説明する。
（１）はじめに、対象物品Ｂにおける所定領域に、所定の文字１０を描く。
（２）次に、文字１０の少なくとも一以上の端部１０ａに、一乃至複数の点１２を付す。
（３）所定領域における文字１０及び点１２以外の空き領域に、必要に応じて、模様１６を描く。
（４）更に必要に応じて、彩色を施す。
【００２７】
以上の通りデザイン化された飾り文字１が描かれた対象物品Ｂは、該対象物品Ｂの種類に応じて最適の態様で室内に飾られ、室内を装飾する装飾品として機能する。最適の態様とは、対象物品Ｂの種類によって異なるが、例えば対象物品Ｂが陶磁器であれば、壺や絵皿の置物様に室内に置かれ、また、対象物品Ｂが紙類であれば、額に入れた状態で壁に掛けて室内を装飾する。
【００２８】
このように、本考案に係る装飾品は、文字１０と該文字１０の端部１０ａに点１２が付され、更に必要に応じて動植物や風景その他の模様１６を付加したり、彩色を施したりすることで構成されるデザイン化された飾り文字１によって装飾されていることで、従来にない斬新な芸術的デザイン性を備えた装飾品を提供するものである。
【産業上の利用可能性】
【００２９】
本考案に係る装飾品は、その対象物品Ｂに描かれるデザイン化された飾り文字１に特徴を有しているため、室内装飾用の装飾品だけでなく、絵葉書や衣類、カーテン等の絵柄として用いたり、建物外壁や看板、屋外設置用オブジェの模様などにも用いることが可能であり、産業上の利用可能性は大きいものと思料する。
【符号の説明】
【００３０】
１    デザイン化された飾り文字
１０    文字
１０ａ  端部
１２    点
１６    模様
Ｂ    対象物品
【図１】
0003206717.tif 000003
【図２】
0003206717.tif 000004
【図３】
0003206717.tif 000005